【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
ディスプレイ要素のアレイと、
制御論理と
を備え、前記制御論理は、
入力画像フレームを受信すること、ここにおいて、前記入力画像フレームは、複数ａピクセルの各々について、第１のセットの色パラメータ値を含む、と、
前記第１のセットの色パラメータ値を第２のセットの色パラメータ値にマッピングするために、前記ピクセルに関連付けられた前記第１のセットの色パラメータ値にコンテンツ適応型ガマットマッピングプロセスを適用すること、ここにおいて、前記コンテンツ適応型ガマットマッピングプロセスは、前記画像フレームの前記コンテンツに少なくとも部分的に基づく、と、
前記入力画像フレームのための飽和レベルパラメータを決定し、前記入力画像フレームの前記決定された飽和パラメータに基づいて、前記ガマットマッピングプロセスを適応させること、ここにおいて、前記制御論理は、前記決定された画像飽和パラメータに基づいて、少なくとも２つの記憶されたガマットマッピングルックアップテーブルの間で補間することによって、画像飽和レベル依存ガマットマッピングルックアップテーブルを生成することによって、前記ガマットマッピングプロセスを適応させるようにさらに構成される、と、
少なくとも４つの異なる色に関連付けられたそれぞれの色サブフィールド内でピクセル強度値を取得するために、前記ピクセルに関連付けられた前記第２のセットの色パラメータ値を分解することと、
前記色サブフィールドに基づいて、前記ディスプレイ要素のためのディスプレイ要素状態情報を生成することと、
前記ディスプレイ要素のアレイに、前記少なくとも４つの色サブフィールドに関連付けられた前記ディスプレイ要素状態情報を出力することと
を行うように構成される、装置。
【請求項２】
前記第１のセットの色パラメータ値は、赤色ピクセル強度値と、緑色ピクセル強度値と、青色ピクセル強度値とを含み、前記第２のセットの色パラメータ値は、ＸＹＺ三刺激値を含み、少なくとも４つの異なる色に関連付けられた前記色サブフィールドは、赤色サブフィールド、緑色サブフィールド、青色サブフィールド、および白色サブフィールドを含む、
請求項１に記載の装置。
【請求項３】
前記制御論理は、コンテンツ適応型画像分解プロセスに従って、それぞれの色サブフィールドを形成するために、前記複数のピクセルに関連付けられた前記第２のセットの色パラメータ値を分解するようにさらに構成される、
請求項１に記載の装置。
【請求項４】
前記制御論理は、前記受信された画像フレームのための飽和レベルパラメータを決定するようにさらに構成され、
前記コンテンツ適応型画像分解プロセスは、前記決定された飽和レベルパラメータに基づいて調整された色分解行列を適用することを含む、
請求項３に記載の装置。
【請求項５】
前記それぞれの色サブフィールドの各々に関連付けられた色を有する光源を含むバックライトをさらに備え、前記制御論理は、色サブフィールドに関連付けられた前記ディスプレイ要素状態情報の一部分を出力すると、前記ディスプレイ要素のアレイを照明するために、前記色サブフィールドに関連付けられた光源を照明するように構成される、
請求項１に記載の装置。
【請求項６】
前記制御論理は、前記色サブフィールドに関連付けられた前記ディスプレイ要素状態情報の前記一部分を出力すると、異なる色サブフィールドに関連付けられた光源を照明するように構成され、前記制御論理は、前記色サブフィールドに関連付けられた前記光源と前記異なる色サブフィールドに関連付けられた前記光源とが、前記受信された画像フレームのために決定された飽和レベルパラメータの値に部分的に基づいて照明される、前記強度を制御するように構成される、
請求項５に記載の装置。
【請求項７】
前記制御論理は、ベクトル誤差拡散プロセスを使用して、前記色サブフィールドをまとめてディザリングするようにさらに構成される、
請求項１に記載の装置。
【請求項８】
前記コンテンツ適応型ガマットマッピングプロセスは、各ピクセルについて、電力管理パラメータに少なくとも部分的に基づいて、前記第１のセットの色パラメータ値を前記第２のセットの色パラメータ値にさらにマッピングする、
請求項１に記載の装置。
【請求項９】
前記電力管理パラメータは、非アクティビティ期間タイマー値、目標飽和パラメータ値、およびバッテリーレベルのうちの１つを備える、
請求項８に記載の装置。
【請求項１０】
ディスプレイ要素の前記アレイと、
ディスプレイと通信することが可能なプロセッサ、ここにおいて、前記プロセッサが画像データを処理することが可能である、と、
前記プロセッサと通信することが可能なメモリデバイスと
を含む前記ディスプレイをさらに備える、
請求項１に記載の装置。
【請求項１１】
前記ディスプレイは、
前記ディスプレイに少なくとも１つの信号を送ることが可能なドライバ回路と、
前記ドライバ回路に前記画像データの少なくとも一部分を送ることが可能なコントローラと
をさらに含む、請求項１０に記載の装置。
【請求項１２】
前記プロセッサに前記画像データを送ることが可能な画像ソースモジュールをさらに含み、前記画像ソースモジュールは、受信機、トランシーバ、および送信機のうちの少なくとも１つを含む、
請求項１０に記載の装置。
【請求項１３】
入力データを受信することが可能であり、前記プロセッサに前記入力データを通信するための入力デバイスをさらに含む、
請求項１０に記載の装置。
【請求項１４】
プロセッサによって実行されると、ディスプレイ上に画像を形成する方法を前記プロセッサに実行させる、コンピュータ実行可能命令を記憶する非一時的コンピュータ可読媒体であって、前記方法は、
入力画像フレームを受信すること、ここにおいて、前記入力画像フレームは、複数ａピクセルの各々について、第１のセットの色パラメータ値を含む、と、
前記ピクセルに関連付けられた前記第１のセットの色パラメータ値を第２のセットの色パラメータ値にマッピングするために、前記ピクセルに関連付けられた前記第１のセットの色パラメータ値にコンテンツ適応型ガマットマッピングプロセスを適用すること、ここにおいて、前記コンテンツ適応型ガマットマッピングプロセスが、前記画像フレームの前記コンテンツに少なくとも部分的に基づく、と、
前記入力画像フレームのための飽和レベルパラメータを決定し、前記入力画像フレームの前記決定された飽和パラメータに基づいて、前記ガマットマッピングプロセスを適応させること、ここにおいて、画像飽和レベル依存ガマットマッピングルックアップテーブルを生成することによって、前記ガマットマッピングプロセスを適応させることは、前記決定された画像飽和パラメータに基づいて、少なくとも２つの記憶されたガマットマッピングルックアップテーブルの間で補間することをさらに備える、と、
少なくとも４つの異なる色に関連付けられたそれぞれの色サブフィールド内でピクセル強度値を取得するために、前記ピクセルに関連付けられた前記第２のセットの色パラメータ値を分解することと、
前記色サブフィールドに基づいて、ディスプレイ要素のアレイ内のディスプレイ要素のためのディスプレイ要素状態情報を生成することと、
前記ディスプレイ要素のアレイに、前記少なくとも４つの色サブフィールドに関連付けられた前記ディスプレイ要素状態情報を出力することと
を備える、非一時的コンピュータ可読媒体。
【請求項１５】
前記第１のセットの色パラメータ値は、赤色ピクセル強度値と、緑色ピクセル強度値と、青色ピクセル強度値とを含み、前記第２のセットの色パラメータ値が、ＸＹＺ三刺激値を含み、少なくとも４つの異なる色に関連付けられた前記色サブフィールドは、赤色サブフィールド、緑色サブフィールド、青色サブフィールド、および白色サブフィールドを含む、
請求項１４に記載の非一時的コンピュータ可読媒体。
【請求項１６】
前記各ピクセルに関連付けられた前記第２のセットの色パラメータ値を分解することは、コンテンツ適応型画像分解プロセスに従って、前記第２のセットの色パラメータ値を分解することを含む、
請求項１４に記載の非一時的コンピュータ可読媒体。
【請求項１７】
前記方法は、前記受信された画像フレームのための飽和レベルパラメータを決定することをさらに備え、前記コンテンツ適応型画像分解プロセスは、前記決定された飽和レベルパラメータに基づいて調整された色分解行列を適用することを備える、
請求項１６に記載の非一時的コンピュータ可読媒体。
【請求項１８】
前記方法は、ベクトル誤差拡散プロセスを使用して、前記色サブフィールドをまとめてディザリングすることをさらに備える、
請求項１４に記載の非一時的コンピュータ可読媒体。
【請求項１９】
前記コンテンツ適応型ガマットマッピングプロセスは、各ピクセルについて、電力管理パラメータに少なくとも部分的に基づいて、前記第１のセットの色パラメータ値を前記第２のセットの色パラメータ値にさらにマッピングする、
請求項１４に記載の非一時的コンピュータ可読媒体。
【請求項２０】
前記電力管理パラメータは、非アクティビティ期間タイマー値、目標飽和パラメータ値、およびバッテリーレベルのうちの少なくとも１つを含む、
請求項１９に記載の非一時的コンピュータ可読媒体。
【請求項２１】
ディスプレイ要素のアレイと、
制御論理と
を備え、前記制御論理は、
第１の色空間内で符号化された入力画像フレームを受信すること、ここにおいて、前記入力画像フレームは、複数ａピクセルの各々について、色強度値のセットを含む、と、
前記入力画像フレームのための飽和パラメータを決定することと、
前記受信された画像フレーム内の各ピクセルについて、
飽和パラメータに少なくとも部分的に基づいて、前記ピクセルに関連付けられた前記色強度値を、前記ＸＹＺ色空間内の対応する三刺激値に変換するために、前記色強度値にガマットマッピングプロセスを適用することと、
前記入力画像フレームの前記決定された飽和パラメータに基づいて、前記ガマットマッピングプロセスを適応させること、ここにおいて、前記制御論理は、前記決定された画像飽和パラメータに基づいて、少なくとも２つの記憶されたガマットマッピングルックアップテーブルの間で補間することによって、画像飽和レベル依存ガマットマッピングルックアップテーブルを生成することによって、前記ガマットマッピングプロセスを適応させるようにさらに構成される、と、
少なくとも４つの異なる色サブフィールドに関連付けられたピクセル強度値を取得するために、前記ピクセルに関連付けられた前記ＸＹＺ三刺激値を分解することと、
前記色サブフィールドに基づいて、前記ディスプレイ要素のアレイ内の前記ディスプレイ要素のためのディスプレイ要素状態情報を生成することと、
画像を形成するために、前記ディスプレイ要素のアレイに、前記少なくとも４つの色サブフィールドに関連付けられた前記ディスプレイ要素状態情報を出力することと
を行うように構成される、装置。
【請求項２２】
前記制御論理は、前記飽和パラメータに少なくとも部分的に基づいて、分解行列を導出するようにさらに構成され、前記ＸＹＺ三刺激値を分解することは、前記分解行列を適用することを備える、
請求項２１に記載の装置。
【手続補正２】
【補正対象書類名】明細書
【補正対象項目名】０１５７
【補正方法】変更
【補正の内容】
【０１５７】
[0147]同様に、動作は特定の順序で図面に示されるが、このことは、望ましい結果を達成するために、そのような動作が、示される特定の順序でまたは逐次的な順序で実行されること、またはすべての図示の動作が実行されることを必要とするものとして理解されるべきでない。さらに、図面は、フロー図の形態でもう１つの例示的なプロセスを概略的に示すことがある。ただし、図示されていない他の動作が、概略的に示される例示的なプロセスに組み込まれ得る。たとえば、１つまたは複数の追加の動作が、図示の動作のうちのいずれかの前に、後に、同時に、またはそれらの間に、実行され得る。いくつかの状況では、マルチタスキングおよび並列処理が有利であり得る。その上、上記で説明された実装形態における様々なシステム構成要素の分離は、すべての実装形態においてそのような分離を必要とするものとして理解されるべきでなく、説明されたプログラム構成要素およびシステムは、概して、単一のソフトウェア製品において互いに一体化されるか、または複数のソフトウェア製品にパッケージングされ得ることを理解されたい。加えて、他の実装形態が以下の特許請求の範囲内に入る。場合によっては、特許請求の範囲に記載の行為は、異なる順序で実行され、依然として望ましい結果を達成することができる。
以下に本願の出願当初の特許請求の範囲に記載された発明を付記する。
［Ｃ１］
ディスプレイ要素のアレイと、
制御論理と
を備え、前記制御論理は、
入力画像フレームを受信すること、ここにおいて、前記入力画像フレームは、複数ａピクセルの各々について、第１のセットの色パラメータ値を含む、と、
前記第１のセットの色パラメータ値を第２のセットの色パラメータ値にマッピングするために、前記ピクセルに関連付けられた前記第１のセットの色パラメータ値にコンテンツ適応型ガマットマッピングプロセスを適用すること、ここにおいて、前記コンテンツ適応型ガマットマッピングプロセスは、前記画像フレームの前記コンテンツに少なくとも部分的に基づく、と、
少なくとも４つの異なる色に関連付けられたそれぞれの色サブフィールド内でピクセル強度値を取得するために、前記ピクセルに関連付けられた前記第２のセットの色パラメータ値を分解することと、
前記色サブフィールドに基づいて、前記ディスプレイ要素のためのディスプレイ要素状態情報を生成することと、
前記ディスプレイ要素のアレイに、前記少なくとも４つの色サブフィールドに関連付けられたディスプレイ要素状態情報を出力することと
を行うように構成される、装置。
［Ｃ２］
前記第１のセットの色パラメータ値は、赤色ピクセル強度値と、緑色ピクセル強度値と、青色ピクセル強度値とを含み、前記第２のセットの色パラメータ値は、ＸＹＺ三刺激値を含む、
Ｃ１に記載の装置。
［Ｃ３］
前記制御論理は、前記画像のための飽和レベルパラメータを決定し、前記入力画像フレームの前記決定された色飽和パラメータに基づいて、前記ガマットマッピングプロセスを適応させるようにさらに構成される、
Ｃ１に記載の装置。
［Ｃ４］
前記制御論理は、画像飽和レベル依存ガマットマッピングルックアップテーブルを生成することによって、前記ガマットマッピングプロセスを適応させるようにさらに構成される、
Ｃ３に記載の装置。
［Ｃ５］
前記制御論理は、前記決定された画像飽和パラメータに基づいて、少なくとも２つの記憶されたガマットマッピングルックアップテーブルの間で補間することによって、前記画像飽和レベル依存ガマットマッピングルックアップテーブルを生成するようにさらに構成される、
Ｃ４に記載の装置。
［Ｃ６］
前記制御論理は、コンテンツ適応型画像分解プロセスに従って、それぞれの色サブフィールドを形成するために、前記複数のピクセルに関連付けられた前記第２のセットの色パラメータ値を分解するようにさらに構成される、
Ｃ１に記載の装置。
［Ｃ７］
前記制御論理は、前記受信された画像フレームのための飽和レベルパラメータを決定するようにさらに構成され、
前記コンテンツ適応型画像分解プロセスは、前記決定された飽和レベルパラメータに基づいて調整された色分解行列を適用することを含む、
Ｃ６に記載の装置。
［Ｃ８］
前記それぞれの色サブフィールドの各々に関連付けられた色を有する光源を含むバックライトをさらに備え、前記制御論理は、色サブフィールドに関連付けられた前記ディスプレイ要素状態情報の一部分を出力すると、前記ディスプレイ要素のアレイを照明するために、前記色サブフィールドに関連付けられた光源を照明するように構成される、
Ｃ１に記載の装置。
［Ｃ９］
前記制御論理は、前記色サブフィールドに関連付けられた前記ディスプレイ要素状態情報の前記部分を出力すると、異なる色サブフィールドに関連付けられた光源を照明するように構成され、前記制御論理は、前記色サブフィールドに関連付けられた前記光源と前記異なる色サブフィールドに関連付けられた前記光源とが、前記受信された画像フレームのために決定された飽和レベルパラメータの値に部分的に基づいて照明される、前記強度を制御するように構成される、
Ｃ８に記載の装置。
［Ｃ１０］
前記制御論理は、ベクトル誤差拡散プロセスを使用して、前記色サブフィールドをまとめてディザリングするようにさらに構成される、
Ｃ１に記載の装置。
［Ｃ１１］
前記コンテンツ適応型ガマットマッピングプロセスは、各ピクセルについて、電力管理パラメータに少なくとも部分的に基づいて、前記第１のセットの色パラメータ値を前記第２のセットの色パラメータ値にさらにマッピングする、
Ｃ１に記載の装置。
［Ｃ１２］
前記電力管理パラメータは、非アクティビティ期間タイマー値、目標飽和パラメータ値、およびバッテリーレベルのうちの１つを備える、
Ｃ１２に記載の装置。
［Ｃ１３］
ディスプレイ要素の前記アレイと、
前記ディスプレイと通信することが可能なプロセッサと、前記プロセッサが画像データを処理することが可能である、
前記プロセッサと通信することが可能なメモリデバイスと
を含むディスプレイをさらに備える、
Ｃ１に記載の装置。
［Ｃ１４］
前記ディスプレイは、
前記ディスプレイに少なくとも１つの信号を送ることが可能なドライバ回路と、
前記ドライバ回路に前記画像データの少なくとも一部分を送ることが可能なコントローラと
をさらに含む、Ｃ１３に記載の装置。
［Ｃ１５］
前記プロセッサに前記画像データを送ることが可能な画像ソースモジュールをさらに含み、前記画像ソースモジュールは、受信機、トランシーバ、および送信機のうちの少なくとも１つを含む、
Ｃ１３に記載の装置。
［Ｃ１６］
入力データを受信することが可能であり、前記プロセッサに前記入力データを通信するための入力デバイスをさらに含む、
Ｃ１３に記載の装置。
［Ｃ１７］
プロセッサによって実行されると、ディスプレイ上に画像を形成する方法を前記プロセッサに実行させる、コンピュータ実行可能命令を記憶するコンピュータ可読媒体であって、前記方法は、
入力画像フレームを受信すること、ここにおいて、前記入力画像フレームは、複数ａピクセルの各々について、第１のセットの色パラメータ値を含む、と、
前記ピクセルに関連付けられた前記第１のセットの色パラメータ値を第２のセットの色パラメータ値にマッピングするために、前記ピクセルに関連付けられた前記第１のセットの色パラメータ値にコンテンツ適応型ガマットマッピングプロセスを適用すること、ここにおいて、前記コンテンツ適応型ガマットマッピングプロセスが、前記画像フレームの前記コンテンツに少なくとも部分的に基づく、と、
少なくとも４つの異なる色に関連付けられたそれぞれの色サブフィールド内でピクセル強度値を取得するために、前記ピクセルに関連付けられた前記第２のセットの色パラメータ値を分解することと、
前記色サブフィールドに基づいて、ディスプレイ要素のアレイ内のディスプレイ要素のためのディスプレイ要素状態情報を生成することと、
前記ディスプレイ要素のアレイに、前記少なくとも４つの色サブフィールドに関連付けられたディスプレイ要素状態情報を出力することと
を備える、コンピュータ可読媒体。
［Ｃ１８］
前記第１のセットの色パラメータ値は、赤色ピクセル強度値と、緑色ピクセル強度値と、青色ピクセル強度値とを含み、前記第２のセットの色パラメータ値が、ＸＹＺ三刺激値を含む、
Ｃ１７に記載のコンピュータ可読媒体。
［Ｃ１９］
前記方法は、前記画像のための飽和レベルパラメータを決定することと、前記入力画像フレームの前記決定された色飽和パラメータに基づいて、前記ガマットマッピングプロセスを適応させることとをさらに含む、
Ｃ１７に記載のコンピュータ可読媒体。
［Ｃ２０］
前記ガマットマッピングプロセスを適応させることは、画像飽和レベル依存ガマットマッピングルックアップテーブルを生成することを含む、
Ｃ１７に記載のコンピュータ可読媒体。
［Ｃ２１］
前記画像飽和レベル依存ガマットマッピングルックアップテーブルを生成することは、前記決定された画像飽和パラメータに基づいて、少なくとも２つの記憶されたガマットマッピングルックアップテーブルの間で補間することを含む、
Ｃ２０に記載のコンピュータ可読媒体。
［Ｃ２２］
前記各ピクセルに関連付けられた前記第２のセットの色パラメータ値を分解することは、コンテンツ適応型画像分解プロセスに従って、前記第２のセットの色パラメータ値を分解することを含む、
Ｃ１７に記載のコンピュータ可読媒体。
［Ｃ２３］
前記方法は、前記受信された画像フレームのための飽和レベルパラメータを決定することをさらに備え、前記コンテンツ適応型画像分解プロセスは、前記決定された飽和レベルパラメータに基づいて調整された色分解行列を適用することを備える、
Ｃ２２に記載のコンピュータ可読媒体。
［Ｃ２４］
前記方法は、ベクトル誤差拡散プロセスを使用して、前記色サブフィールドをまとめてディザリングすることをさらに備える、
Ｃ１７に記載のコンピュータ可読媒体。
［Ｃ２５］
前記コンテンツ適応型ガマットマッピングプロセスは、各ピクセルについて、電力管理パラメータに少なくとも部分的に基づいて、前記第１のセットの色パラメータ値を前記第２のセットの色パラメータ値にさらにマッピングする、
Ｃ１７に記載のコンピュータ可読媒体。
［Ｃ２６］
前記電力管理パラメータは、非アクティビティ期間タイマー値、目標飽和パラメータ値、およびバッテリーレベルのうちの少なくとも１つを含む、
Ｃ２５に記載のコンピュータ可読媒体。
［Ｃ２７］
ディスプレイ要素のアレイと、
制御論理と
を備え、前記制御論理は、
第１の色空間内で符号化された入力画像フレームを受信すること、ここにおいて、前記入力画像フレームは、複数ａピクセルの各々について、色強度値のセットを含む、と、
前記画像フレームのための飽和パラメータを決定することと、
前記受信された画像フレーム内の各ピクセルについて、
飽和パラメータに少なくとも部分的に基づいて、前記ピクセルに関連付けられた前記色強度値を、前記ＸＹＺ色空間内の対応する三刺激値に変換するために、前記色強度値にガマットマッピングプロセスを適用することと、
少なくとも４つの異なる色サブフィールドに関連付けられたピクセル強度値を取得するために、前記ピクセルに関連付けられた前記ＸＹＺ三刺激値を分解することと、
前記色サブフィールドに基づいて、前記ディスプレイ要素のアレイ内の前記ディスプレイ要素のためのディスプレイ要素状態情報を生成することと、
画像を形成するために、前記ディスプレイ要素のアレイに、前記少なくとも４つの色サブフィールドに関連付けられたディスプレイ要素状態情報を出力することと
を行うように構成される、装置。
［Ｃ２８］
前記制御論理は、前記飽和パラメータに少なくとも部分的に基づいて、分解行列を導出するようにさらに構成され、前記ＸＹＺ三刺激値を分解することは、前記分解行列を適用することを備える、
Ｃ２７に記載の装置。